(57)【要約】【課題】免震建物用エレベーターの昇降路側天井板が地震時変位しても、基部側天井板で点検口が塞がれないようにする。【解決手段】昇降路側に固定された昇降路側三方枠１８の上枠１８ａに昇降路側天井板２１を固定し、基部側に固定された基部側三方枠１７の上枠１７ａに基部側天井板２０を固定してある。昇降路側天井板２１には点検口２４があり、基部側天井板２０には昇降路側へ開口する凹部２７がある。保守時は点検口２４のふた２５を開き、ふた２６を取り外して点検口２４を開口し、凹部２７の凹部ふた２８を取り外して外部を点検する。このとき地震が発生して、天井板２１が基部側へ変位しても、凹部２７があるため、点検口２４が塞がれることはない。【選択図】        図２
2004175549.tif 000002
【特許請求の範囲】
【請求項１】
基部建築体に免震装置を介して免震建築体が支持され、上記両建築体に互いに連通する昇降路を設けるとともに、その所定の建築体の乗場側に基部側三方枠を設け、上記昇降路側に上記基部側三方枠に対向する昇降路側三方枠を設けたエレベーター装置において、一側が上記昇降路側三方枠の上枠に固定され、かつ点検口が形成された昇降路側天井板と、一側が上記基部側三方枠の上枠に固定され他側が上記昇降路側天井板の上方に並設された基部側天井板とを備え、上記基部側天井板に、上記昇降路側へ開口する凹部を形成したことを特徴とする免震建物用エレベーターの乗場装置。
【請求項２】
基部側天井板の凹部に、着脱可能に嵌装された凹部ふたを設けたことを特徴とする請求項１記載の免震建物用エレベーターの乗場装置。
【発明の詳細な説明】
【０００１】
【発明の属する技術分野】
この発明は、免震装置を用いた建築体に設置されるエレベーターの乗場装置に関するものである。
【０００２】
【従来の技術】
免震建物では、図１に示すように基部建築体１に免震装置４を介して免震建築体５が支持されており、免震建築体５の下部には、昇降路６に連通する昇降路７が固着されている。乗場出入口に設置される三方枠は、図１２及び図１３に示すように、基部側三方枠１７と昇降路側三方枠１８に分離されており、基部側三方枠１７には、基部側天井板２０が、昇降路側三方枠１８には、昇降路側天井板２１が固定されている。また、昇降路側天井板２１には点検口２４が設けられている。
【０００３】
このような従来の免震建物用エレベーターの乗場装置においては、基部建築体１側と昇降路７側とは分離されているため、地震時、図１４に示すように、基部側三方枠１７と昇降路側三方枠１８間に層間変位が発生する。このとき、基部側三方枠１７に結合された天井板２０、可動壁２２等は三方枠１７に追従して変位し、昇降路側三方枠１８に結合された天井板２１、可動壁２３等は三方枠１８に追従して変位して層間変位を吸収する。
【０００４】
【発明が解決しようとする課題】
上記のような従来の免震建築用エレベーターの乗場装置では、地震時、基部側天井板２０と昇降路側天井板２１とは独立して変位するため、天井板２１が乗場側へ変位したとき、天井板２０が点検口２４を塞いでしまう。このため、点検口２４から顔を出して作業する作業者は、地震発生時を予測して、常に注意を強いられるという問題点がある。
【０００５】
この発明は上記問題点を解消するためになされたもので、地震発生によって、昇降路側天井板が乗場側へ変位しても点検口がふさがれることを防止できるようにした免震建物用エレベーターの乗場装置を提供することを目的とする。
【０００６】
【課題を解決するための手段】
この発明に係る免震用エレベーターの乗場装置は、点検口が形成された昇降路側天井板を昇降路側三方枠の上枠に固定し、基部側天井板を基部側三方枠の上枠に固定するとともに、昇降路側天井板の上方に並設し、基部側天井板に、昇降路側へ開口する凹部を形成したものである。
【０００７】
【発明の実施の形態】
実施の形態１．
図１〜図１１はこの発明の一実施の形態を示す図で、図１は建物の縦断面図、図２は図１のＩＩ部拡大図、図３は図２の天井部の平面図、図４は図３のＩＶ−ＩＶ線拡大断面図、図５は凹部ふたの平面図、図６は図５の拡大下面図、図７は図３の保守点検時の状態図、図８は図７のＶＩＩＩ−ＶＩＩＩ線拡大断面図、図９は図２の地震時の変位状態図、図１０は図７の地震時の変位状態図、図１１は図１０のＸＩ−ＸＩ線拡大断面図であり、図中同一符号は同一部分を示す。
【０００８】
図１において、基部建築体１は大地２に建築されており、基部建築体１には縦坑３が設けられている。そして、基部建築体１の上面には、免震装置４を介して免震建築体５が支持されており、免震建築体５には、エレベーター昇降路（以下、単に昇降路という。）６が設けられている。また、免震建築体５の下部には、昇降路６に連通する昇降路７が固着され、縦坑３に水平方向にすき間を介して配置されている。
【０００９】
また、免震建築体５には、昇降路６の上方に機械室８が設けられ、機械室８には巻上装置９が設置されている。そして、巻上装置９には主索１０が巻き掛けられ、主索１０の一端にはかご１１が結合され、他端には、つり合おもり１２が結合されている。また、昇降路７の底部には、かご１１及びつり合おもり１２のそれぞれに対応した緩衝器１３が設置されている。
【００１０】
図２〜図６において、基部建築体１の乗場出入口は、乗場に面する基部側出入口１５と、昇降路７に面する昇降路側出入口１６とがあり、基部側出入口１５には、基部側三方枠１７が固定されている。また、昇降路側出入口１６には、昇降路側三方枠１８が固定されており、昇降路側三方枠１８の昇降路７側には乗場戸１９が配置されている。基部側三方枠１７の上枠１７ａには、水平方向へ延在する基部側天井板２０が固定され、昇降路側三方枠１８の上枠１８ａには、同様に昇降路側天井板２１が固定され、両天井板２０，２１は相互に重合している。
【００１１】
基部側三方枠１７と昇降路側三方枠１８の間には、基部側可動壁２２及び昇降路側可動壁２３が立設され、それぞれ一側が基部側三方枠１７及び昇降路側三方枠１８に枢着されている。
昇降路側天井板２１には、その上方に設置された防火シャッタモータ（図示しない）の点検口２４が開口しており、ふた２５，２６によって閉塞されている。ふた２５は点検口２４の縁部に枢着されており、ふた２６は着脱可能に装着されている。
【００１２】
基部側天井板２０の昇降路側には、図３に示すように点検口２４の側に切り欠かれた凹部２７が形成され、この凹部２７に、図５及び図６に示す凹部ふた２８が嵌装されている。凹部ふた２８は箱状に形成され、両側面に軸２９が突設されている。そして、凹部２７の側面には、上面に開口するＬ字状の溝３０が形成され、この溝３０と軸２９が係合して、凹部ふた２８が支持されている。
【００１３】
上記のように構成したことにより、通常時は凹部ふた２８は軸２９が溝３０に係合して固定されて凹部２７を閉塞し、基部側天井板２０の一部となっている。また、点検口２４はふた２５，２６によって閉塞されている。そして、この状態でエレベーターの運転が実施されている。
【００１４】
次に、この実施の形態の動作を図７〜図１１を参照して説明する。
（１）  保守点検時の通常時（図７及び図８）
まず、点検口２４のふた２６を取り外し、ふた２５を下方に開いて点検口２４を開放する。これで、作業員は点検口２４から手を延ばして凹部ふた２８を把持し、凹部ふた２８を昇降路７の方へ少し移動させてから上方へ移動させれば、凹部ふた２８の軸２９は溝３０から脱出するので、凹部ふた２８を昇降路側天井板２１から取り外すことができる。この状態で作業員は開口された点検口２４から、防火シャッタモータ等を点検する。
【００１５】
（２）  保守点検時の地震時（図９〜図１１）
地震が発生すると、基部側三方枠１７に結合された基部側天井板２０及び基部側可動壁２２は三方枠１７に追従して変位し、昇降路側三方枠１８に結合された昇降路側天井板２１及び昇降路側可動壁２３は三方枠１９に追従して変位して、層間変位は吸収される。この変位により、例えば図７及び図８の状態から、図９〜図１１のように昇降路側天井板２１が乗場側へ変位したとしても、基部側天井板２０が点検口２４を塞ぐことはない。
【００１６】
このようにして、保守点検中に地震による免震建築体５の変位が発生しても、基部側天井板２０に凹部２７が設けられているため、点検口２４が天井板２０によって塞がれることはなく、作業者は過度の注意を強いられることなく保守作業を実行することが可能となる。また、通常時は凹部ふた２８が凹部２７に嵌装されているため、下方から天井内部が見えることはない。
【００１７】
なお、上記実施の形態では、この発明を基部建築体１の乗場に適用した場合について説明したが、免震建築体５の乗場に適用することも可能である。
【００１８】
【発明の効果】
以上説明したとおりこの発明では、点検口が形成された昇降路側天井板を昇降路側三方枠の上枠に固定し、基部側天井板を基部側三方枠の上枠に固定するとともに、昇降路側天井板の上方に並設し、基部側天井板に、昇降路側に開口する凹部を形成したので、地震により昇降路側天井板が変位しても、点検口が基部側天井板によって塞がれることはなく、作業者は過度の注意を強いられることなく保守作業を実行することができる。
【図面の簡単な説明】
【図１】この発明の実施の形態１を示す建物の縦断面図。
【図２】図１のＩＩ部拡大図。
【図３】図２の天井部の平面図。
【図４】図３のＩＶ−ＩＶ線拡大断面図。
【図５】この発明の実施の形態１を示す凹部ふたの平面図。
【図６】図５の拡大下面図。
【図７】図３の保守点検時の状態図。
【図８】図７のＶＩＩＩ−ＶＩＩＩ線拡大断面図。
【図９】図２の地震時の変位状態図。
【図１０】図７の地震時の変位状態図。
【図１１】図１０のＸＩ−ＸＩ線拡大断面図。
【図１２】従来の免震建築用エレベーターの乗場装置の天井部の平面図。
【図１３】従来の免震建築用エレベーターの乗場装置の縦断側面図で、図２相当図。
【図１４】図１３の地震時の変位状態図。
【符号の説明】
１  基部建築体、    ４  免震装置、    ５  免震建築体、    ６，７  昇降路、    １１  かご、    １５  基部側出入口、    １６  昇降路側出入口、  １７  基部側三方枠、    １７ａ  基部側三方枠の上枠、    １８  昇降路側三方枠、    １８ａ  昇降路側三方枠の上枠、    ２０  基部側天井板、    ２１  昇降路側天井板、    ２４  点検口、    ２５，２６  ふた、    ２７  凹部、    ２８  凹部ふた、    ２９  軸、    ３０  溝。
【図１】
2004175549.tif 000003
【図２】
2004175549.tif 000004
【図３】
2004175549.tif 000005
【図４】
2004175549.tif 000006
【図５】
2004175549.tif 000007
【図６】
2004175549.tif 000008
【図７】
2004175549.tif 000009
【図８】
2004175549.tif 000010
【図９】
2004175549.tif 000011
【図１０】
2004175549.tif 000012
【図１１】
2004175549.tif 000013
【図１２】
2004175549.tif 000014
【図１３】
2004175549.tif 000015
【図１４】
2004175549.tif 000016